(57)【要約】【課題】軒樋に容易に且つ見栄えよく取付けることができ、水漏れ等の不具合が生じ難い軒樋継手、及び軒樋継手と軒樋の接続構造を提供する。【解決手段】後板１０は、軒樋３の後壁３０の外面に沿って配置される。底板１１は、軒樋３の底部３１の外面に沿って配置される。前板１２は、軒樋３の前壁３２の外面に沿って配置される。前耳固定部１４は、前板１２の上端部に設けられ、前壁３２の上端部に設けられた前耳部３４に固定可能である。前耳固定部１４が、折曲げ代１３１と補強片１４１を備える。折曲げ代１３１が、前板１２の上端部から延び出た板状で、前耳部３４の上面に沿うように後側に向かって折曲げ可能である。補強片１４１が、折曲げ代１３１から突出して、折曲げ代１３１の前板１２側から前板１２と反対側に向かって延びる。【選択図】図１
2015175102.tif 000002
【特許請求の範囲】
【請求項１】
軒樋の後壁の外面に沿って配置される後板と、
前記軒樋の底部の外面に沿って配置される底板と、
前記軒樋の前壁の外面に沿って配置される前板と、
前記後板の上端部に設けられ、前記後壁の上端部に設けられた後耳部に固定可能な後耳固定部と、
前記前板の上端部に設けられ、前記前壁の上端部に設けられた前耳部に固定可能な前耳固定部とを備え、
前記前耳固定部が折曲げ代と補強片とを備え、
前記折曲げ代が前記前板の上端部から延び出た板状で、前記前耳部の上面に沿うように後側に向かって折曲げ可能であり、前記補強片が、前記折曲げ代から突出して、前記折曲げ代の前記前板側から前記前板と反対側に向かって延びることを特徴とする軒樋継手。
【請求項２】
金属製の軒樋継手であって、前記補強片が、前記折曲げ代の前記軒樋長手方向の端部を折曲げた片であることを特徴とする請求項１に記載の軒樋継手。
【請求項３】
前記折曲げ代において前記補強片が形成された部分が前記前耳部の上面に沿って配置され、
前記折曲げ代が、前記補強片よりも前記前板から離れる方向に突出して、前記前耳部の後面に沿って曲げ変形可能な曲げ部を備えることを特徴とする請求項１又は請求項２に記載の軒樋継手。
【請求項４】
前記補強片が前記折曲げ代の折曲方向に向かって突出することを特徴とする請求項１乃至３のいずれか１項に記載の軒樋継手。
【請求項５】
請求項１乃至４のいずれか１項に記載の軒樋継手と軒樋の接続構造であって、前記軒樋継手の後板、底板、及び前板が、前記軒樋の後壁、底部、及び前壁の夫々の外面に沿って配置され、前記後耳固定部が前記後耳部に固定され、前記折曲げ代が前記前耳部の上面に沿って折曲げられたことを特徴とする軒樋継手と軒樋の接続構造。
【発明の詳細な説明】
【技術分野】
【０００１】
本発明は、一般に軒樋継手、及び軒樋継手と軒樋の接続構造、より詳細には軒樋同士を接続するための軒樋継手、及び軒樋継手と軒樋の接続構造に関する。
【背景技術】
【０００２】
特許文献１には軒樋継手が開示されている。この軒樋継手は、軒樋の外面に沿って設けられる外継手を備えている。外継手は、後板の前側に突出した上縁部が軒樋の後耳部に固定され、前板の後側に突出した上縁部が軒樋の前耳部に固定される。
【先行技術文献】
【特許文献】
【０００３】
【特許文献１】特開平１１−１５９０８０号公報
【発明の概要】
【発明が解決しようとする課題】
【０００４】
特許文献１に開示された外継手を軒樋に装着するには、例えば後板の前側に突出した上縁部を軒樋の後耳部に引っ掛け、この後、前板の後側に突出した上縁部を軒樋の前耳部に引っ掛ければよい。しかし、このように外継手を軒樋に装着するには、前板の後側に突出した上縁部が軒樋の前面に接触して、軒樋の前面を傷付ける可能性があり、これを避けるために作業がしづらくなる可能性がある。
【０００５】
この点を改善するには、例えば前板の上縁部を折曲げ可能な折曲げ代とし、前板を軒樋の前面に沿って配置した後に、折曲げ代を後側（建物側）に折り曲げて軒樋の前耳部に引っ掛けることが考えられる。
【０００６】
しかし、このように折曲げ代を後側に折曲げるときには、折曲げ代にかかった力によって軒樋の前面に沿う前板が前側に膨らむように撓み、軒樋継手の外観が損なわれる可能性がある。また、前板の後面と軒樋の前面との間から水漏れが生じる恐れもある。
【０００７】
本発明は、軒樋に取付けるときに軒樋の前耳部に引っ掛けられる部分が軒樋の前面に接触し難く、軒樋に見栄えよく取付けることができ、水漏れ等の不具合が生じ難い軒樋継手、及び軒樋継手と軒樋の接続構造を提供することを目的とする。
【課題を解決するための手段】
【０００８】
本発明の軒樋継手は、以下の特徴を有する。軒樋継手は、後板、底板、前板、後耳固定部、及び前耳固定部を備える。後板は、軒樋の後壁の外面に沿って配置される。底板は、軒樋の底部の外面に沿って配置される。前板は、軒樋の前壁の外面に沿って配置される。後耳固定部は、後板の上端部に設けられ、後壁の上端部に設けられた後耳部に固定可能である。前耳固定部は、前板の上端部に設けられ、前壁の上端部に設けられた前耳部に固定可能である。前耳固定部が、折曲げ代と補強片を備える。折曲げ代が、前板の上端部から延び出た板状で、前耳部の上面に沿うように後側に向かって折曲げ可能である。補強片が、折曲げ代から突出して、折曲げ代の前板側から前板と反対側に向かって延びる。
【０００９】
また、金属製の軒樋継手であって、補強片が、折曲げ代の軒樋長手方向の端部を折曲げた片であることが好ましい。
【００１０】
また、軒樋継手は、本実施形態のように以下の特徴を有することが好ましい。折曲げ代において補強片が形成された部分が前耳部の上面に沿って配置される。折曲げ代が、補強片よりも前板から離れる方向に突出して、前耳部の後面に沿って曲げ変形可能な曲げ部を備える。
【００１１】
また、補強片が折曲げ代の折曲方向に向かって突出することが好ましい。
【００１２】
また、本発明の軒樋継手と軒樋の接続構造は、以下の特徴を有する。軒樋継手の後板、底板、及び前板が、軒樋の後壁、底部、及び前壁の夫々の外面に沿って配置される。後耳固定部が後耳部に固定される。折曲げ代が前耳部の上面に沿って折曲げられる。
【発明の効果】
【００１３】
本発明の軒樋継手、及び軒樋継手と軒樋の接続構造では、軒樋継手の折曲げ代を前耳部の上面に沿うように後側に向かって折曲げて前耳部に固定することができる。このため、軒樋継手を軒樋の外面に沿って配置するときに前耳部に引っ掛けられる部分が軒樋の前面に接触し難くなる。また、前耳固定部の折曲げ代は、折曲げ代から突出した補強片により補強されるため、折曲げ代の厚み方向に撓み難い。このため、作業者によって折曲げ代が前耳部に沿って折曲げられるときに、前板の上端部に対して後側に力がかかり難くなって前板は前側に撓み難くなる。従って、軒樋の前板が撓んで軒樋継手の外観が損なわれることを防止できる。また、前板を軒樋の前壁の外面に沿って密着状態で配置することができ、前板と軒樋の前壁の外面との間から水漏れが生じ難くなる。
【図面の簡単な説明】
【００１４】
【図１】本発明の実施形態の軒樋継手を軒樋に接続した状態を示した側断面図である。
【図２】前記軒樋継手の側断面図である。
【図３】図１のＡ部拡大図である。
【発明を実施するための形態】
【００１５】
以下、本発明の実施形態について、図面を参照しながら説明する。図１に本実施形態の軒樋継手を軒樋に接続した状態を示し、図２に本実施形態の軒樋を示す。
【００１６】
軒樋継手１は、両側の軒樋３に外側から嵌め付けられて、両軒樋３同士を接続する外継手である。以下では、両軒樋３及び軒樋継手１について、両軒樋３を軒樋継手１で接続した施工状態における方向を基準にして記述する。すなわち、図１において矢印Ｄ１で示した屋外側方向を前方、矢印Ｄ２で示した建物側方向を後方、矢印Ｄ３で示した方向を上方、矢印Ｄ４で示した方向を下方として記述する。
【００１７】
本実施形態の軒樋継手１によって接続される両軒樋３は、平面視で一直線状に並べて配置される。両軒樋３は、互いの長さ方向の端面が対向するように配置される。そして、このように配置された両軒樋３の長さ方向の端部同士が、軒樋継手１によって接続される。なお、軒樋継手１は、平面視で交差する方向に延びる軒樋３同士を接続する曲がり継手であっても構わない。
【００１８】
各軒樋３は金属製であり、例えば鋼板から形成される。なお、軒樋３は、合成樹脂や、合成樹脂に金属板をインサート成形した軒樋３であってもよい。
【００１９】
各軒樋３は同一の断面形状を有している。各軒樋３は、図１に示すように、後壁３０、底部３１、前壁３２、後耳部３３、及び前耳部３４を備えている。これら後壁３０、底部３１、前壁３２、後耳部３３、及び前耳部３４は、一体に形成されている。
【００２０】
軒樋３の後壁３０は、底部３１の後端から立ち上がっている。後壁３０の外面は、軒樋３の後面である。後壁３０は底部３１から垂直に突出し、略鉛直になるよう配置される。軒樋３の底部３１は平板状であり、略水平になるよう配置される。底部３１の下面は、軒樋３の下面である。前壁３２は、底部３１の前端から立ち上がっている。前壁３２の外面は、軒樋３の前面である。前壁３２は上方に行く程前方（建物側）に位置するように傾斜した平板状である。
【００２１】
後耳部３３は、後壁３０の上端部に設けられている。後耳部３３は、後壁３０の上端から前側に向かって突出している。後耳部３３は、例えば後壁３０の上端部を曲げて形成される。
【００２２】
後耳部３３は、上側片部３３０、前側片部３３１、及び折返し部３３２を備えている。上側片部３３０は、後壁３０の上端から前側に向かって突出している。前側片部３３１は、上側片部３３０の前端から下側に向かって突出している。折返し部３３２は、前側片部３３１の下端部を前側片部３３１の後面側に折返した部分である。
【００２３】
前耳部３４は、前壁３２の上端部に設けられている。前耳部３４は、前壁３２の上端部から延び出て、後側（建物側）に向かって突出している。前耳部３４は、例えば前壁３２の上端部を曲げて形成される。
【００２４】
前耳部３４は、図３に示すように、上片部３４０、後片部３４１、下片部３４２、及び折返し片部３４３を備えている。上片部３４０は、前壁３２の上端から後側に向かって突出している。上片部３４０の上面は、前耳部３４の上面である。上片部３４０の前端部３４４よりも後方の部分である主部３４５は、後方に行く程下方に位置するように傾斜している。上片部３４０の前端部３４４は、軒樋３長手方向（左右方向）と直交する断面において、外面側に突となる円弧状に形成されている。上片部３４０の前端部３４４は、前壁３２の上端と主部３４５を連続するように繋いでいる。
【００２５】
後片部３４１は、上片部３４０の主部３４５の後端から下側に向かって突出している。後片部３４１は、軒樋３長手方向と直交する断面において後側に突となる円弧状に形成されている。後片部３４１の後面は、前耳部３４の後面である。
【００２６】
下片部３４２は、後片部３４１の上片部３４０と反対側の端（下端）から前側に向かって突出している。下片部３４２は、後片部３４１によって主部３４５と連続するように繋がれている。下片部３４２の下面は、前耳部３４の下面である。
【００２７】
折返し片部３４３は、下片部３４２の前端部を下片部３４２の上面側に折返した部分である。
【００２８】
軒樋継手１は、金属製であって、例えば鋼板から形成される。本実施形態の軒樋継手１は、図２に示すように、後板１０、底板１１、前板１２、後耳固定部１３、及び前耳固定部１４を備えている。なお、図２では、軒樋継手１を軒樋３に取付けるにあたって軒樋継手１の内側に嵌め込まれた軒樋３が二点鎖線で図示されている。
【００２９】
軒樋継手１の後板１０は、底板１１の後端から立ち上がっている。後板１０は、底板１１から垂直に突出した平板状である。後板１０は、軒樋３の後壁３０の外面に沿って配置される。底板１１は平板状であって、軒樋３の底部３１の外面に沿って配置される。前板１２は、底板１１の前端から立ち上がっている。前板１２の外面は、軒樋継手１の前面である。前板１２は上方に行く程前方に位置するように傾斜した平板状である。前板１２は、軒樋３の前壁３２の外面に沿って配置される。
【００３０】
後耳固定部１３及び前耳固定部１４は、軒樋継手１の軒樋３長手方向における全長に亘って形成されている。なお、後耳固定部１３及び前耳固定部１４は、軒樋継手１の軒樋３長手方向における中間部には形成されなくてもよい。すなわち、後耳固定部１３及び前耳固定部１４は、軒樋３長手方向において少なくとも両側に形成されればよい。
【００３１】
後耳固定部１３は、後板１０の上端部を折曲げて形成される。本実施形態の後耳固定部１３は、突出片１３０と、折曲げ代１３１を備えている。本実施形態の後耳固定部１３は、突出片１３０と折曲げ代１３１だけで構成されている。
【００３２】
突出片１３０は、後板１０の上端から前側に向かって突出している。突出片１３０は、例えば後板１０の上端部を折曲げることで形成される。突出片１３０は、軒樋３の後耳部３３の上側片部３３０に沿って配置される。
【００３３】
折曲げ代１３１は、突出片１３０の前端から上側に向かって突出している。折曲げ代１３１は、例えば突出片１３０の前端部を上側に曲げることで形成される。折曲げ代１３１は、図１に示すように軒樋３の後耳部３３の前側片部３３１に沿うように下側に向かって折曲げ可能である。
【００３４】
前耳固定部１４は、図２に示すように、前板１２の上端部を折曲げて形成される。前耳固定部１４は、図１に示すように軒樋３の前耳部３４に沿って折曲げ可能である。
【００３５】
図２に示すように、前耳固定部１４は、第２折曲げ代１４０と複数の補強片１４１を備えている。本実施形態の前耳固定部１４は、第２折曲げ代１４０と複数の補強片１４１だけで構成されている。以下、後耳固定部１３の折曲げ代１３１を第２折曲げ代１４０と区別するため、第１折曲げ代１３１と記載する。
【００３６】
第２折曲げ代１４０は、前板１２の上端部から上側に延び出た平板状である。第２折曲げ代１４０は、前板１２の上端部を軒樋継手１の内側となる後側に向けて僅かに折曲げることで形成されている。
【００３７】
第２折曲げ代１４０と前板１２の境界には、軒樋３長手方向に延びる折り目１５がある。第２折曲げ代１４０は、前板１２の上端部に対して折り目１５を境にして後側に折り曲げられている。第２折曲げ代１４０は、上方に行く程後側に位置するように傾斜している。なお、第２折曲げ代１４０は鉛直であってもよいし、上方に行く程前側に位置するように傾斜してもよい。第２折曲げ代１４０は、図１に示すように、折り目１５を境に前板１２に対して折り曲げることで、各軒樋３の前耳部３４の上面、後面、及び下面に沿わせることができる。
【００３８】
前記複数の補強片１４１は、図２に示すように、第２折曲げ代１４０から突出している。補強片１４１は、第２折曲げ代１４０の軒樋３長手方向の両端部に夫々設けられている。なお、前耳固定部１４が軒樋継手１の軒樋３長手方向における両側に個別に形成される場合、補強片１４１は前耳固定部１４毎に設けられる。
【００３９】
各補強片１４１は、第２折曲げ代１４０の軒樋３長手方向における外側の端から突出している。各補強片１４１は、第２折曲げ代１４０の折曲方向に向かって突出している。すなわち、各補強片１４１は、図１に示すように第２折曲げ代１４０を前耳部３４に沿って折り曲げたとき、第２折曲げ代１４０から下側に向かって突出する。なお、各補強片１４１は、第２折曲げ代１４０の折曲方向と反対側に突出してもよい。
【００４０】
各補強片１４１は、例えば第２折曲げ代１４０の軒樋３長手方向における外側端部を折曲げることで形成される。各補強片１４１は、第２折曲げ代１４０の前板１２側（基端側）の端部から、第２折曲げ代１４０の前板１２と反対側（先端側）に向かって延びている。各補強片１４１は、平板状の第２折曲げ代１４０に対して垂直である。各補強片１４１は、軒樋３長手方向から見て、第２折曲げ代１４０の基先方向に長い長形である。詳しくは、各補強片１４１は、軒樋３長手方向から見て台形状に形成されており、前板１２側の端面及び前板１２と反対側の端面との間隔が第２折曲げ代１４０に近づく程大きくなっている。
【００４１】
各補強片１４１は、第２折曲げ代１４０の前板１２側の端部（基端部）と前板１２と反対側の端部（先端部）の間である中間部１４２に設けられている。各補強片１４１は、第２折曲げ代１４０の中間部１４２にのみ設けられており、第２折曲げ代１４０の前板１２側の端部（基端部）、及び第２折曲げ代１４０の前板１２と反対側の端部（先端部）には、設けられていない。
【００４２】
第２折曲げ代１４０の前板１２側の端部は、図１に示すように、軒樋３の上片部３４０の前端部３４４に沿って折曲げ可能な第１曲げ部１４３である。図２に示すように、第２折曲げ代１４０の前板１２と反対側の端部は、各補強片１４１よりも前板１２と反対側に向かって突出している。第２折曲げ代１４０の前板１２と反対側の端部は、図３に示すように、軒樋３の前耳部３４の後片部３４１及び下片部３４２に沿って折曲げ可能な第２曲げ部１４４である。
【００４３】
軒樋継手１は、例えば以下のようにして両側の軒樋３に接続される。まず、作業者は、図２に示すように、軒樋継手１を軒樋３の外側に被せて、軒樋継手１の後板１０、底板１１、及び前板１２を、各軒樋３の後壁３０、底部３１、及び前壁３２の夫々の外面に沿って配置する。また、このとき、作業者は、後耳固定部１３の突出片１３０を、各軒樋３の後耳部３３の上側片部３３０の上面に沿って配置する。これにより、突出片１３０が各軒樋３の上側片部３３０に引っ掛けられて、後耳固定部１３は各軒樋３の後耳部３３に仮固定される。なお、軒樋継手１の内面は、各軒樋３の外面に対して接着剤やシール材を介して接着してもよいし、直接接触するようにしてもよい。
【００４４】
次に作業者は、図１に示すように、第１折曲げ代１３１を折曲げて、後耳固定部１３を後耳部３３に固定する。また、作業者は、図１に示すように、第２折曲げ代１４０を折曲げて、前耳固定部１４を前耳部３４に固定する。なお、前耳固定部１４を各軒樋３の前耳部３４に固定する作業は、後耳固定部１３が後耳部３３に固定された後に行われてもよいし、後耳固定部１３が後耳部３３に固定される前に行われてもよい。
【００４５】
後耳固定部１３を各軒樋３の後耳部３３に固定するには、作業者は、後耳固定部１３の第１折曲げ代１３１を図２の矢印Ａ１に示す方向に折曲げて、図１に示すように第１折曲げ代１３１を各軒樋３の前側片部３３１の前面に沿わせる。これにより、第１折曲げ代１３１は各軒樋３の前側片部３３１に引っ掛けられて、後耳固定部１３は各軒樋３の後耳部３３に固定（本固定）される。
【００４６】
軒樋継手１の前耳固定部１４を各軒樋３の前耳部３４に固定するには、作業者は、前耳固定部１４の第２折曲げ代１４０を図２の矢印Ａ２に示す方向に折曲げて、図３に示すように第２折曲げ代１４０を各軒樋３の前耳部３４に沿わせる。この第２折曲げ代１４０の折曲げは、例えば作業者が第２折曲げ代１４０における第１曲げ部１４３や中間部１４２を押圧することで行われる。このとき、第２折曲げ代１４０は、第２折曲げ代１４０の内側に各軒樋３の前耳部３４が巻き込まれるように折曲げられる。
【００４７】
このように第２折曲げ代１４０が折曲げられることで、第１曲げ部１４３は折り目１５を境にしてより後側に傾斜した状態にされて、各軒樋３の上片部３４０の前端部３４４の外面に沿って配置される。また、第２折曲げ代１４０の補強片１４１が設けられた中間部１４２は、各軒樋３の上片部３４０の主部３４５に沿って配置され、各補強片１４１の下側の端面の全部が、各軒樋３の主部３４５の外面に沿って接する。さらに、第２折曲げ代１４０の第２曲げ部１４４は、各軒樋３の主部３４５に対して下側に折り曲げられて、前耳部３４の後片部３４１の外面及び下片部３４２の外面に沿って配置される。これにより、前耳固定部１４は前耳部３４に引っ掛けられて前耳部３４に対して固定される。
【００４８】
ここで、前耳固定部１４の第２折曲げ代１４０は、第２折曲げ代１４０から突出した複数の補強片１４１を設けたこと（リブ効果）により補強されている。このため、第２折曲げ代１４０、特に補強片１４１が設けられた中間部１４２は、第２折曲げ代１４０の厚み方向に撓み難い。このため、前記のように作業者によって第２折曲げ代１４０が前耳部３４に沿って折曲げられるときに、前板１２の上端部に対して後側に力がかかり難くなって前板１２は撓み難くなる。また、第２折曲げ代１４０の中間部１４２は第１曲げ部１４３に対してしっかりと曲げられ、且つ第２曲げ部１４４は中間部１４２に対してしっかりと曲げられる。
【００４９】
以上説明した本実施形態の軒樋継手１は以下の特徴を有する。軒樋継手１は、後板１０、底板１１、前板１２、後耳固定部１３、及び前耳固定部１４を備える。後板１０は、軒樋３の後壁３０の外面に沿って配置される。底板１１は、軒樋３の底部３１の外面に沿って配置される。前板１２は、軒樋３の前壁３２の外面に沿って配置される。後耳固定部１３は、後板１０の上端部に設けられ、後壁３０の上端部に設けられた後耳部３３に固定可能である。前耳固定部１４は、前板１２の上端部に設けられ、前壁３２の上端部に設けられた前耳部３４に固定可能である。前耳固定部１４が、第２折曲げ代１４０と補強片１４１を備える。第２折曲げ代１４０が、前板１２の上端部から延び出た板状で、前耳部３４の上面に沿うように後側に向かって折曲げ可能である。補強片１４１が、第２折曲げ代１４０から突出して、第２折曲げ代１４０の前板１２側から前板１２と反対側に向かって延びる。
【００５０】
この特徴を有する軒樋継手１は、後耳固定部１３が軒樋３の後耳部３３に固定され、前耳固定部１４が軒樋３の前耳部３４に固定されて、軒樋３に取り付けられる。前耳固定部１４にあっては、第２折曲げ代１４０が前耳部３４の上面に沿うように後側に向かって折曲げられて前耳部３４に固定される。このため、軒樋継手１を軒樋３の外面に沿って配置するときに前耳部３４に引っ掛けられる部分（第２折曲げ代１４０）が軒樋３の前面に接触し難くして、軒樋継手１を軒樋３に接続する作業を容易にできる。また、前耳固定部１４の第２折曲げ代１４０は、第２折曲げ代１４０から突出した補強片１４１により補強されるため、第２折曲げ代１４０の厚み方向に撓み難い。このため、作業者が第２折曲げ代１４０を前耳部３４に沿って折曲げるときに、前板１２の上端部に対して後側に力がかかり難くなって前板１２が撓み難くなる。従って、軒樋３の前板１２が前側に膨らんで軒樋継手１の外観が損なわれることを防止できる。また、前板１２を軒樋３の前壁３２の外面に密着状態で配置でき、前板１２の後面と軒樋３の前壁３２の外面との間から水漏れが生じ難くなる。
【００５１】
また、軒樋継手１は、本実施形態のように金属製であって、補強片１４１が、第２折曲げ代１４０の軒樋３長手方向の端部を折曲げた片であることが好ましい。この場合、補強片１４１を簡単に形成できる。
【００５２】
また、軒樋継手１は、本実施形態のように以下の特徴を有することが好ましい。第２折曲げ代１４０において補強片１４１が形成された部分が前耳部３４の上面に沿って配置される。第２折曲げ代１４０が、補強片１４１よりも前板１２から離れる方向に突出して、前耳部３４の後面に沿って曲げ変形可能な第２曲げ部１４４を備える。この特徴を有する軒樋継手１は、第２曲げ部１４４を前耳部３４の後面に沿って曲げて引っ掛けることができるため、前耳固定部１４を前耳部３４にしっかりと固定できる。
【００５３】
また、本実施形態のように、補強片１４１が第２折曲げ代１４０の折曲方向に突出することが好ましい。この場合、第２折曲げ代１４０から突出した撓み難い補強片１４１を前耳部３４に引っ掛けて固定でき、前板１２を一層撓み難くできる。
【００５４】
また、本実施形態の軒樋継手１と軒樋３の接続構造は、以下の特徴を有する。軒樋継手１の後板１０、底板１１、及び前板１２が、軒樋３の後壁３０、底部３１、及び前壁３２の夫々の外面に沿って配置される。後耳固定部１３が後耳部３３に固定される。第２折曲げ代１４０が前耳部３４の上面に沿って折曲げられる。
【００５５】
この特徴を有する軒樋継手１と軒樋３の接続構造にあっては、第２折曲げ代１４０を前耳部３４の上面に沿うように後側に向かって折曲げて前耳部３４に固定できる。このため、軒樋継手１を軒樋３の外面に沿って配置するときに第２折曲げ代１４０が軒樋３の前面に接触し難くなり、軒樋継手１を軒樋３に接続する作業が容易になる。また、前耳固定部１４の第２折曲げ代１４０は、第２折曲げ代１４０から突出した補強片１４１により補強されるため、第２折曲げ代１４０の厚み方向に撓み難い。このため、作業者によって第２折曲げ代１４０が前耳部３４に沿って折曲げられるときに、前板１２の上端部に対して後側に力がかかり難くなって前板１２は撓み難くなる。従って、軒樋３の前板１２が前側に膨らんで軒樋継手１の外観が損なわれることを防止できる。また、前板１２を軒樋３の前壁３２の外面に密着状態で配置することができ、前板１２と軒樋３の前壁３２の外面との間から水漏れが生じ難くなる。
【００５６】
以上、本発明の好ましい実施形態について記載したが、本実施形態の軒樋継手１、及び軒樋継手１と軒樋３の接続構造は、本発明の趣旨を逸脱しない範囲であれば、適宜変更可能である。
【符号の説明】
【００５７】
１  軒樋継手
１０  後板
１１  底板
１２  前板
１３  後耳固定部
１４  前耳固定部
１４０      第２折曲げ代（折曲げ代）
１４１      補強片
１４４      第２曲げ部（曲げ部）
３      軒樋
３０      後壁
３１      底部
３２      前壁
３３      後耳部
３４      前耳部
【図１】
2015175102.tif 000003
【図２】
2015175102.tif 000004
【図３】
2015175102.tif 000005